(57)【要約】  本発明は、透明であり、特定のシート抵抗Ｒ１を有するアノード（１）と、特定のシート抵抗Ｒ２を有し、Ｒ比＝Ｒ２／Ｒ１が０．１〜５であるカソード（３）と、第１のいわゆるマッチドアノードコンタクト（４１）及びこの第１マッチドコンタクトとの間隔をあけて反対側にある第２のいわゆるマッチドアノードコンタクト（４１’）と、能動領域（２０）の上方に配置されて、コンタクト面のいずれの箇所においても第１マッチドアノードコンタクト（４１）及び第２マッチドアノードコンタクトと（４１’）とオフセットしている第１電気カソードコンタクト（５）とを含む、ＯＬＥＤデバイスに関する。
2015503822.tif 000002
【特許請求の範囲】
【請求項１】
第１主面を有する透明基材（１０）を含んでなるいわゆるＯＬＥＤ有機発光ダイオードデバイス（１００〜６００’）であり、当該透明基材は、前記第１主面から始まって、
・透明で、所与のシート抵抗Ｒ１のアノード（１）を形成している下部電極、
・前記アノードの上方の有機発光システム（２）、
・前記有機発光システムの上方のカソード（３）であり、電気伝導性層を含んでいて、所与のシート抵抗Ｒ２を有し、ｒ比＝Ｒ２／Ｒ１が０．１〜５の範囲であるカソード（３）を形成している上部電極、
をこの順序で含んでなる積重体を含み、前記アノード、有機発光システム及びカソードが共通のいわゆる能動ゾーン（２０）を画定しているＯＬＥＤデバイスであって、当該ＯＬＥＤデバイスは、
・第１のいわゆるテーラードアノードコンタクト（４１）、
・前記第１テーラードコンタクトと間隔をあけてそれに面している、第２のいわゆるテーラードアノードコンタクト（４１’）、
を含み、前記第１及び第２テーラードコンタクト（４１、４１’）は、前記能動ゾーン（２０）の第１のいわゆるフリー端部（２３）と前記能動ゾーン（２０）の第１フリー端部（２３）と反対側の第２のいわゆるフリー端部（２４）とによって更に範囲を定められた、第１アノード領域（４０、４０’）と称される、前記アノード（１）の第１の領域の２つの対向する側部を形成していて、
当該ＯＬＥＤデバイスはまた、
・第１カソード電気コンタクト（５）であって、
・前記能動ゾーン（２０）の上方に配置されて、前記第１アノード領域（４０）の上方の前記カソード（３）の領域を部分的に覆い、
・前記能動ゾーンの表面積よりも小さく、前記第１アノード領域の表面積よりも小さい、コンタクト面と呼ばれる、所与の面を有し、
・前記コンタクト面の全ての箇所で、前記第１テーラードアノードコンタクト（４１）及び前記第２テーラードアノードコンタクト（４１’）とオフセットしている、
第１カソード電気コンタクト（５）、
を含み、
前記第１テーラードコンタクト（４１）のそれぞれの箇所Ｂ１について、前記箇所Ｂ１と前記箇所Ｂ１に最も近い前記コンタクト面の箇所Ｃ１との間の距離Ｄ１を規定するとともに、前記箇所Ｂ１と、Ｃ１を通過して前記第２テーラードコンタクト（４１’）の箇所Ｘ１との間の距離Ｌ１を規定していて、以下の基準、すなわち、
・０．１≦ｒ＜１．７５である場合、１０％＜Ｄ１／Ｌ１＜５０％、
・１．７５≦ｒ＜２．５である場合、１０％＜Ｄ１／Ｌ１＜４５％、
・２．５≦ｒ＜３である場合、１０％＜Ｄ１／Ｌ１＜４０％、
・３≦ｒ≦５である場合、１０％＜Ｄ１／Ｌ１＜３５％、
が規定され、
前記第２テーラードコンタクト（４１’）のそれぞれの箇所Ｂ２について、前記箇所Ｂ２と前記箇所Ｂ２に最も近い前記コンタクト面の箇所Ｃ２との間の距離Ｄ２を規定するとともに、前記箇所Ｂ２と、Ｃ２を通過して前記第１テーラードコンタクト（４１）の箇所Ｘ２との間の距離Ｌ２を規定していて、以下の基準、すなわち、
・０．１≦ｒ＜１．７５である場合、１０％＜Ｄ２／Ｌ２＜５０％、
・１．７５≦ｒ＜２．５である場合、１０％＜Ｄ２／Ｌ２＜４５％、
・２．５≦ｒ＜３である場合、１０％＜Ｄ２／Ｌ２＜４０％、
・３≦ｒ≦５である場合、１０％＜Ｄ２／Ｌ２＜３５％、
が規定され、
そして当該ＯＬＥＤデバイス（１００）は、前記有機発光システム（２）の上方に、前記第１面（１０）から遠ざかる方向で、前記能動ゾーン（２０）を覆う反射体（６）を含んでいる、ＯＬＥＤデバイス（１００〜６００’）。
【請求項２】
前記コンタクト面（５）が前記第１アノード領域（４０）の中央から前記第１及び第２のアノードコンタクト（４１、４１’）まで延在していることを特徴とする、請求項１記載のＯＬＥＤデバイス（１００〜６００’）。
【請求項３】
前記コンタクト面（５）がベタ面、格子状面であることを特徴とする、請求項１又は２記載のＯＬＥＤデバイス（１００〜６００’）。
【請求項４】
前記第１カソードコンタクト（５）が、前記第１テーラードアノードコンタクト（４１）と前記第２テーラードアノードコンタクト（４１’）とに対して、好ましくは中央に位置していることを特徴とする、請求項１〜３の１項に記載のＯＬＥＤデバイス（１００〜６００’）。
【請求項５】
特に中央に位置する、前記第１カソードコンタクト（５）が、前記第１アノード領域（４０）の面及び／又は前記能動ゾーン（２０）の面に対して相似の面を有することを特徴とする、請求項１〜４の１項に記載のＯＬＥＤデバイス（１００〜６００’）。
【請求項６】
・０．１≦ｒ＜１．７５である場合、２０％≦Ｄ１／Ｌ１＜５０％且つ２０％≦Ｄ２／Ｌ２＜５０％、
・１．７５≦ｒ＜２．５である場合、２０％≦Ｄ１／Ｌ１≦４０％且つ２０％≦Ｄ２／Ｌ２≦４０％、
・２．５≦ｒ＜３である場合、２０％≦Ｄ１／Ｌ１≦３５％且つ２０％≦Ｄ２／Ｌ２≦３５％、
・３≦ｒ≦５である場合、１５％≦Ｄ１／Ｌ１≦２５％且つ１５％≦Ｄ２／Ｌ２≦２５％、
であることを特徴とする、請求項１〜５の１項に記載のＯＬＥＤデバイス（１００〜６００’）。
【請求項７】
特にバンド状である、前記第１テーラードアノードコンタクト（４１）が、前記能動ゾーン（２０）の第１端部（２１）に沿っており、そして任意選択的に、特にバンド状である、前記第２テーラードアノードコンタクト（４１’）が、前記能動ゾーンの前記第１端部（２１）と反対側の第２端部（２２）に沿っていて、特に当該第１及び第２端部（２１、２２）は長手方向にあることを特徴とする、請求項１〜６の１項に記載のＯＬＥＤデバイス（１００〜６００’）。
【請求項８】
前記第１テーラードアノードコンタクト（４１）が実質的に直線状であり、好ましくは第１中央平面Ｍ１によって規定されており、前記第２テーラードアノードコンタクト（４１’）が実質的に直線状であり、好ましくは第２中央平面Ｍ２によって規定されており、そして好ましくは当該中央平面Ｍ１とＭ２間の角度αが４５°未満．あるいは３０°以下であることを特徴とする、請求項１〜７の１項に記載のＯＬＥＤデバイス（１００〜６００’）。
【請求項９】
前記第１アノード領域（４０）に配置された、１以上のいわゆる抵抗性アノード電気コンタクト（４３）を含むこと、及び、０．１〜５の範囲の前記ｒ比が０．１〜５の範囲のｒ’ 比＝Ｒ２／Ｒ’１と取り替えられ、ここでのＲ’１は前記第１アノード領域（４０）におけるアノード（１）と抵抗性コンタクト（４２）との集合体の等価シート抵抗であることを特徴とする、請求項１〜８の１項に記載のＯＬＥＤデバイス（１００）。
【請求項１０】
前記カソード（３）が透明又は半反射性であり、前記反射体（６）が、好ましくは金属の、特に層状の、反射被覆要素（６１）を、前記第１主面から離れて前記カソード（３）の上方に含み、当該被覆要素（６１）がいわゆるインサートの電気絶縁要素（７）によって前記カソードから切り離されていること、及び、前記第１カソードコンタクト（５）が、前記インサート（７）に隣接して、前記反射体（６）の一部を形成し、好ましくは当該反射被覆要素（６１）と接触し又は電気的に結合されていることを特徴とする、請求項１〜９の１項に記載のＯＬＥＤデバイス（１００〜６００’）。
【請求項１１】
前記第１カソードコンタクト（５）が前記反射被覆要素（６１）と同じ材料を基礎材料としており、好ましくはアルミニウムを基礎材料としており、特に前記第１カソードコンタクト（５）と前記被覆要素（６１）が前記インサート（７）上の連続層（６）によって形成されていることを特徴とする、請求項１０記載のＯＬＥＤデバイス（１００〜６００’）。
【請求項１２】
前記連続層（６）が前記カソード（３）と同じ材料、特にアルミニウム、を基礎材料としていることを特徴とする、請求項１１記載のＯＬＥＤデバイス（１００〜６００’）。
【請求項１３】
前記カソード（３）がアルミニウムを基礎材料とする層を含み、且つ前記第１カソードコンタクト（５）がアルミニウムを基礎材料とする層を含むことを特徴とする、請求項１２記載のＯＬＥＤデバイス（１００〜６００’）。
【請求項１４】
前記反射体が、前記第１カソードコンタクトに隣接して、ブラッグミラーを含み、前記第１カソードコンタクトが前記反射体の一部を形成していることを特徴とする、請求項１〜１３の１項に記載のＯＬＥＤデバイス。
【発明の詳細な説明】
【技術分野】
【０００１】
本発明の対象は、有機発光ダイオードデバイスである。
【背景技術】
【０００２】
公知の有機発光システム又はＯＬＥＤ（「有機発光ダイオード」）は、電気伝導性薄層の形態でそれを囲う電極によって電気を供給される有機発光層の積重体を含む。２つの電極間に電圧をかけると、有機層に電流が流れ、かくしてエレクトロルミネッセンスによって光が発生する。
【０００３】
背面発光型ＯＬＥＤデバイス（又は「底面」型ＯＬＥＤ）では、上部電極すなわちカソードは典型的には０．１Ω／□以下のシート抵抗を有する反射性金属層であり、下部電極すなわちアノードは、放射光を通過させるガラス又はプラスチック基材上に被着された、数桁高いシート抵抗の透明層である。
【０００４】
国際公開第９９／０２０１７号パンフレットでは、アノードとカソードとのシート抵抗の非常に大きな差異が輝度の不均一性、耐久時間及び信頼性の減少を、特に大きなサイズのデバイスについて、同時にもたらすことに注目されている。従って、所与のシート抵抗Ｒ１の透明アノード及び同様に所与のシート抵抗Ｒ２を有するカソードを有する有機発光ダイオードデバイスであって、ｒ比＝Ｒ２／Ｒ１が０．３と３の間であるデバイスが提案されている。
【０００５】
一例として、アノードはシート抵抗１０オームのＩＴＯの層であり、カソードはシート抵抗９．９オームのイッテルビウムの薄層であり、すなわちｒはほぼ１である。
【先行技術文献】
【特許文献】
【０００６】
【特許文献１】国際公開第９９／０２０１７号パンフレット
【発明の概要】
【発明が解決しようとする課題】
【０００７】
しかしながら、均一性の増加はなおも最善ではなく、全てのＯＬＥＤ構造にとって確実でもない。
【課題を解決するための手段】
【０００８】
従って、本発明の対象は、第１主面を有する透明基材を含んでなる有機発光ダイオードデバイス、いわゆるＯＬＥＤであり、前記第１主面から始まって、
・透明で、好ましくは少なくとも１つの電気伝導性層を含んでなるアノードであり、所与のシート抵抗Ｒ１、特に３０Ω／□未満、又は実際において１５Ω／□以下、又は更には１０Ω／□以下のＲ１のアノードであって、アノード面の特性寸法が好ましくは少なくとも２ｃｍ、又は実際において５ｃｍであるアノードを形成している、（例えば第１面の直上又は副層上の）下部電極、
・アノードの上方の有機発光システム、
・有機発光システムの上方（又は実際において該システムの直上）のカソードであり、好ましくは電気伝導性層を含み、所与のシート抵抗Ｒ２を有し、好ましくは一定の所与の厚さのカソードであって、ｒ比＝Ｒ２／Ｒ１が０．１〜５の範囲であるカソードを形成している上部電極、
をこの順序で含んでなる積重体を含む透明基材を含んでなる有機発光ダイオードデバイスであって、アノード、有機発光システム及びカソードが共通のいわゆる能動ゾーン（非常に不透明ならばいかなる任意選択的な内側アノードコンタクトも除いて、照射面に対応する）を画定している有機発光ダイオードデバイスである。
【０００９】
このＯＬＥＤデバイスは、更に、
・好ましくは延在するタイプの、あるいは実際において複数の点状コンタクト（互いに接近している）の形態での、第１テーラードアノードコンタクト、
・第１テーラードコンタクトと間隔をあけてそれに面している、好ましくは延在するタイプの、あるいは実際において複数の点状コンタクト（互いに接近している）の形態での、第２テーラードアノードコンタクト、
を含み、第１及び第２テーラードコンタクトは、能動ゾーンの第１のいわゆるフリー端部と能動ゾーンの第１フリー端部と反対側の第２のいわゆるフリー端部とによって更に範囲を定められた、第１アノード領域と称される、アノードの領域の２つの対向する側部（隣接しない）を形成していて、
該ＯＬＥＤデバイスはまた、
・第１カソード電気コンタクトであって、
・能動ゾーンの上方に配置されて、第１アノード領域の上方のカソードの領域を部分的に覆い、
・能動ゾーンの表面積よりも小さく、第１アノード領域の表面積よりも小さい、コンタクト面と呼ばれる、所与の面を有し、
・コンタクト面の全ての箇所で、第１テーラードアノードコンタクト及び第２テーラードアノードコンタクトとオフセットしている、
第１カソード電気コンタクト、
を含む。
【００１０】
第１テーラードコンタクトの（少なくとも大部分の、又は実際において８０％の、そして好ましくはそれぞれの）箇所Ｂ１について言うと、前記箇所Ｂ１と前記箇所Ｂ１に最も近いコンタクト面の箇所Ｃ１との間の距離Ｄ１を規定するとともに、前記箇所Ｂ１と、Ｃ１を通過して第２テーラードコンタクトの箇所Ｘ１との間の距離Ｌ１を規定していて、以下の基準、すなわち、
・０．１≦ｒ＜１．７５である場合、１０％＜Ｄ１／Ｌ１＜５０％、
・１．７５≦ｒ＜２．５である場合、１０％＜Ｄ１／Ｌ１＜４５％、
・２．５≦ｒ＜３である場合、１０％＜Ｄ１／Ｌ１＜４０％、
・３≦ｒ≦５である場合、１０％＜Ｄ１／Ｌ１＜３５％、
が規定される。
【００１１】
そして第２テーラードコンタクトの（少なくとも大部分の、又は実際において８０％の、そして好ましくはそれぞれの）箇所Ｂ２について言うと、前記箇所Ｂ２と前記箇所Ｂ２に最も近いコンタクト面の箇所Ｃ２との間の距離Ｄ２を規定するとともに、前記箇所Ｂ２と、Ｃ２を通過して第１テーラードコンタクトの箇所Ｘ２との間の距離Ｌ２を規定していて、以下の基準、すなわち、
・０．１≦ｒ＜１．７５である場合、１０％＜Ｄ２／Ｌ２＜５０％、
・１．７５≦ｒ＜２．５である場合、１０％＜Ｄ２／Ｌ２＜４５％、
・２．５≦ｒ＜３である場合、１０％＜Ｄ２／Ｌ２＜４０％、
・３≦ｒ≦５である場合、１０％＜Ｄ２／Ｌ２＜３５％、
が規定される。
【００１２】
このＯＬＥＤデバイスは更に、有機発光システムの上方に、第１面から遠ざかる方向で、能動ゾーンを覆う反射体を含む。
【００１３】
更に厳密には、Ｄ１（及びＤ２のそれぞれ）は、Ｂ１（及びＢ２のそれぞれ）と、アノード上への又は更に良好にはアノードに平行なＢ１（及びＢ２のそれぞれ）を通過する平面へのＣ１（及びＣ２のそれぞれ）の（垂直）投影点との間の距離であるが、ＯＬＥＤの高さが小さいことを考慮して、先に規定した基準がこれによって変更されることはない。
【００１４】
そして同様に更に厳密には、Ｌ１（及びＬ２のそれぞれ）は、Ｂ１（及びＢ２のそれぞれ）と、アノードに平行なＢ１（及びＢ２のそれぞれ）を通過する平面におけるＣ１（及びＣ２のそれぞれ）の垂直投影点を通過するＸ１（及びＸ２のそれぞれ）との間の距離である。
【００１５】
従って、Ｄ１とＬ１はアノードに平行なＢ１を通過する平面において規定すること、またＤ２とＬ２はアノードに平行なＢ２を通過する平面において規定することが好ましいであろう。
【００１６】
本発明によれば、「テーラード（ｔａｉｌｏｒｅｄ）アノードコンタクト」（第１テーラードアノードコンタクト及び第２テーラードアノードコンタクト）は、ＯＬＥＤが作動中であるときに電圧がテーラードコンタクトのどの箇所でも同じであるように十分な導電性を有する電気コンタクトを意味するものである。この導電性の結果、テーラードコンタクトの２つの箇所間で、これらの２つの箇所の近傍における輝度のばらつきは５％未満となる。従って、テーラードアノードコンタクトの役割はその面全体にわたって同一の電位を分布させることである。
【００１７】
本発明によれば、第１カソード電気コンタクトは、ＯＬＥＤが作動中であるときに電圧が第１カソードコンタクトのどの箇所でも同じであるような十分な導電性を有する。この導電性の結果、このカソードコンタクトの２つの箇所間で、これらの２つの箇所の近傍における輝度のばらつきは５％未満となる。従って、このカソードコンタクトの役割はその面全体にわたって同一の電位を分布させることである。
【００１８】
本発明の目的は、２つの相対するアノードコンタクトを有する構成において、所与のＲ１のアノード及び所与の有機層抵抗ｒｏｒｇを有し、不可欠の輝度の均一性の基準を満足する、可能である最大のＯＬＥＤを製造することである。
【００１９】
本出願人は、アノード及びカソードの接続の位置、特にそれらの互いに関する位置決めが、それらの形状と同様に重要であることに言及しておく。従って、均一性の真の増加のためには、
・アノードコンタクトを慎重に選択すること、特にそれらの抵抗をそれらが要求どおりに製作されるように慎重に選択すること、
・第１カソードコンタクトを正確に配置すること、
・そして第１カソードコンタクトを相対するテーラードアノードコンタクトから十分に離すこと、
が重要である。
【００２０】
このようにして、照射面全体にわたってカソードとアノードとの間の可能な限り最も一定の電位差が得られる。
【００２１】
相対する端部という表現は、広義で解釈され、丸みを帯びたアノード領域（ディスク状、卵形の輪郭など）の２つの向かい合ったゾーンを包含し、そして更に隣り合うという語の反対である。
【００２２】
Ｄ１（又はＤ２）は、箇所Ｂ１（又はＢ２）がどのようなものであっても一定であることができ、あるいは、ｒ比の選択に大きく依存する本発明によるＤ１／Ｌ１（又はＤ２／Ｌ２）比を保持しながら変化してもよい。
【００２３】
アノードとカソードとの電位差が照明に適するように、特にＶｃとなるように、電位Ｖｃで電気の供給を受けるカソードは、接地される。
【００２４】
従来型の厚いカソードが理想的であると考えられており、つまりそれは自身でカソードコンタクト（カソードのあらゆる箇所で等電位）を形成する。本発明は、カソードのシート抵抗Ｒ２の増加及びコンタクト面に関する基準によってそのようなカソードから区別される。
【００２５】
カソードは好ましくは、特に製作方法に応じた許容差、例えば被着タイプの薄層に関しては±１０％、を有する一定の所与の厚さのものである。
【００２６】
本発明によるＯＬＥＤは、例えば第１アノード領域（又は能動ゾーン）の長さ又は直径が少なくとも１０ｃｍ、又は実際において１５ｃｍであることができるような特性寸法、すなわち最大の寸法も、照明することを特に目的とする。
【００２７】
より良好な均一化のためには、第１カソードコンタクトは相対する第１アノードコンタクトから最も離れた領域に存在する。
【００２８】
実際、アノード電位が最も大きく降下するのはこの離れた領域である。従って、本発明によれば、カソードにおける電位の降下を補償する必要があり、この電位の降下は本発明による第１カソードコンタクトによって生じる。
【００２９】
一般的なアノード領域の形状（多角形、円形など）の場合、これは必然的に第１アノード領域の中央領域、従って中心及びその周囲である。
【００３０】
従って、第１カソードコンタクトは、有利には、第１アノード領域の中央領域（言い換えると、中央）から第１及び第２アノードコンタクトに向かって、あるいは実際において好ましくは能動ゾーンの１以上のフリー端部に向かって、延在することができる。
【００３１】
フリー端部という用語は、広い意味で解釈され、例えば能動ゾーンが多数の辺を有する場合いくつかのセグメントである。
【００３２】
Ｄ１／Ｌ１（又はＤ２／Ｌ２）の上限は、本発明による第１カソードコンタクトが点状（又は非常にに微細な）タイプのコンタクトから逸脱することを想起させる。
【００３３】
従って、第１カソードコンタクトは十分なコンタクト面を示すことが重要である。
【００３４】
例えば、中央ゾーンの一部を不均一なままにするカソードコンタクトは本発明に従うものではない。反例として、
・第１アノード領域の中央ゾーンで間隔が開きすぎている複数の部分におけるカソードコンタクト、
・細すぎるフレーム又は環状部を形成する中抜けカソードコンタクト、
を挙げることができる。
【００３５】
別の反例のカソードコンタクト（本発明に従わない）は、能動ゾーンの外側のカソードコンタクトである。
【００３６】
更に別の反例のカソードコンタクト（本発明に従わない）は、（幅Ｄ１又はＤ２の）能動ゾーンの内周だけ又は能動ゾーン全体を占める、抵抗性あるいはテーラードコンタクトのネットワーク、例えば格子又は平行バンドである。
【００３７】
本発明によるカソードコンタクトは、能動ゾーン及び／又は第１アノード領域の対称性を必ずしも再現するわけではない。
【００３８】
コンタクト面は、ベタ面、格子状面（等電位を維持するように設計される）であることができ、この面は場合によって星状である。
【００３９】
実際、ベタ面であっても、コンタクト面は、特に太いか又は細い分岐（特に、線と見なされ得るもの）を有する、星状であることができる。
【００４０】
（実質的に）ベタのコンタクト面（特にアノード上に被着させた層）は面の不連続性を示すことができるが、これは相対するテーラードアノードコンタクトから最も離れた領域でその等電位の機能を阻害することはできない。
【００４１】
ベタ面は、特に、少なくともテーラードアノードコンタクトに面する凸面であってもよい。また、既に述べたように、ベタのコンタクト面は中抜けタイプでないことが好ましい。
【００４２】
能動ゾーンはベタタイプのものであることが更に好ましい。少なくとも１つの（強い）くびれを有する能動ゾーンの場合、このくびれに面するテーラードアノードコンタクトを配置しないことが好ましいであろう。
【００４３】
第１カソードコンタクトは、第１及び第２アノードコンタクトに関して（又は実際において、外部テーラードアノードコンタクトの場合は、好ましくは能動ゾーンの端部に関して）、（実質的に）中央に位置することができる。
【００４４】
第１カソードコンタクトは、例えば、第１アノード領域で、特に多角形（正方形、長方形）の形態の能動領域で、輪郭が電流線に対して直角のコンタクト面を有する。
【００４５】
特に中央に配置された、第１カソードコンタクトは、第１アノード領域の面に対して（実質的に）相似である面を有することができる。
【００４６】
最低限でも、第１アノードコンタクトに面する第１カソードコンタクトの輪郭は、第１アノードコンタクトの輪郭に従うことができる。第２アノードコンタクトに面する第１カソードコンタクトの輪郭は、第２アノードコンタクトの輪郭に従うことができる。
【００４７】
特に中央に配置された、第１カソードコンタクトは、テーラードコンタクトが、特に多角形の能動ゾーンの場合に、外部にあるならば、能動ゾーンの面に（実質的に）相似の面を有することができる。
【００４８】
カソードコンタクトは自立式でカソード上に重ねることができ、例えば１組のワイヤ、シート状などであることができる。
【００４９】
好ましくは、第１カソードコンタクトの厚さは一定である。
【００５０】
第１カソードコンタクトは、好ましくは第１アノード領域で連続していてよく、特に金属のベタ層（単層又は多層）であり、及び／又は好ましくはコンタクト面は中抜けでない（少なくとも中心では）。
【００５１】
更に良好な均一化のためには、以下のこと、すなわち、
・０．１≦ｒ＜１．７５である場合、２０％≦Ｄ１／Ｌ１＜５０％且つ２０％≦Ｄ２／Ｌ２＜５０％、
・１．７５≦ｒ＜２．５である場合、２０％≦Ｄ１／Ｌ１≦４０％且つ２０％≦Ｄ２／Ｌ２≦４０％、
・２．５≦ｒ＜３である場合、２０％≦Ｄ１／Ｌ１≦３５％且つ２０％≦Ｄ２／Ｌ２≦３５％、
・３≦ｒ≦５である場合、１５％≦Ｄ１／Ｌ１≦２５％且つ１５％≦Ｄ２／Ｌ２≦２５％、
であることが好ましい。
【００５２】
特に、以下の基準、すなわち、
・０．１≦ｒ＜１．７５である場合、３０％≦Ｄ１／Ｌ１＜５０％且つ３０％≦Ｄ２／Ｌ２＜５０％、
・１．７５≦ｒ＜２．５である場合、２５％≦Ｄ１／Ｌ１≦３５％且つ２５％≦Ｄ２／Ｌ２≦３５％、
・２．５≦ｒ＜３である場合、２０％≦Ｄ１／Ｌ１≦３０％且つ２０％≦Ｄ２／Ｌ２≦３０％、
・３≦ｒ≦５である場合、１５％≦Ｄ１／Ｌ１≦２５％且つ１５％≦Ｄ２／Ｌ２≦２５％、
が好ましい。
【００５３】
最良の均一化は、２．５≦ｒ＜３で、２０％≦Ｄ１／Ｌ１＜３０％、２０％＜Ｄ２／Ｌ２＜３０％の場合に得られる。
【００５４】
その一部のための第１テーラードコンタクトは、ベタの層もしくはメッシュタイプの層（バンドを形成する緊密な格子など）であることができ、あるいは実際において、例えば数ｍｍ未満離れた、電流を分配するために十分接近しあった１組の点状アノードコンタクトであることができる。
【００５５】
第１テーラードアノードコンタクトは、能動ゾーンの内側及び／又は外側の、能動ゾーンの第１端部に沿っていることができる。それは好ましくは、第１端部の大部分に沿って、又は実際において実質的にその全部に沿って、延在することができる。当然ながら、第１端部は第１及び第２のフリー端部とは異なったものである。
【００５６】
そして任意選択的に、能動ゾーンの内側及び／又は外側の、第２テーラードアノードコンタクトは、第１端部の反対側の能動ゾーンの第２端部に沿っていることができる。これらの第１及び第２端部は、長手方向（能動ゾーンの端部の最長の方向）にあるのが好ましい。
【００５７】
第１端部は、能動ゾーンのいくつかの辺を、特にｎ＞５の辺の多角形として、一緒にまとめてもよい。言い換えれば、第１テーラードアノードコンタクトはいくつかの辺にわたって延在することができる。同じことが第２テーラードアノードコンタクトについても言える。
【００５８】
従って、特に実質的に直線的な、第１（及び第２）テーラードコンタクトは、周辺のコンタクトでよく、周辺とは広い意味で解釈され、従って、
・発光システムの端部（及び上方のカソードの端部）から突出したアノード端部上、従って（少なくとも一部分において）能動ゾーンの外側の周辺であり、そして特にパッシベーションによってカソードの端部及び有機層から分離されている、
・及び／又は発光システム（及び上方のカソード）によって覆われたアノード端部上にあり、パッシベーション層、例えばポリイミドによってパッシベーションされ、従って（少なくとも一部分において）能動ゾーンの内側の周辺にある、
と解釈される。
【００５９】
第１周辺テーラードコンタクトは、好ましくは第１端部からＬ／１０未満、あるいは実際においてＬ／２０未満の距離Ｗにあり、Ｌは第１端部と第２端部の間の最大の距離である。第２周辺テーラードコンタクトは、好ましくは第２端部からＬ／１０未満、あるいは実際においてＬ／２０未満の距離Ｗにある。
【００６０】
好ましくは、周辺テーラードコンタクトは外周に平行して位置しており、能動ゾーンの外周から一定の（あるいはほぼそのような）距離にある。
【００６１】
外側及び／又は内側の第１周辺テーラードコンタクトは、好ましくは能動ゾーンの最も近い端部から１０ｍｍ未満、あるいは実際において５ｍｍ以下、又は実際において（一部において）能動ゾーンの端部上（いずれかの側から突き出した状態）にある。
【００６２】
第１及び／又は第２テーラードアノードコンタクトは、実質的に直線状、曲線状などであることができる。
【００６３】
第１テーラードアノードコンタクトは、実質的に直線状であることができ、特に第１テーラードコンタクトの接線の集合が、対をなす角度が３０°未満であり、第１中央平面Ｍ１によって規定される、複数の直線の扇形を形成することができる。
【００６４】
第２テーラードアノードコンタクトは、実質的に直線状であることができ、特に第２テーラードコンタクトの接線の集合が、対をなす角度が３０°未満であり、第２中央平面Ｍ２によって規定される、複数の直線の扇形を形成することができる。
【００６５】
好ましくは、（第１及び第２）中央平面間の角度αは４５°未満であり．あるいは実際において３０°以下、より一層良好には１０°以下であり、あるいは実際において０°に等しい。
【００６６】
第１及び第２コンタクトは、特に能動ゾーンが少なくとも４つの端部（又は辺）を有する多角形タイプである場合及び／又は能動ゾーンの輪郭が一番単純なものである場合（丸味のある輪郭の場合）に、実質的に平行であることが好ましい。
【００６７】
第１テーラードアノードコンタクトは長さＬＧ１を有することができる。第２テーラードアノードコンタクトは長さＬＧ２を有することができ、好ましくは０．８ＬＧ１＜ＬＧ２＜１．２ＬＧ１である。
【００６８】
テーラードアノードコンタクトは、おのおのが能動ゾーンの個別の半分のところにあることができる。
【００６９】
好ましくは、
・第１及び第２アノードコンタクトは周辺のコンタクトであり、ほかのテーラードアノードコンタクトはなく、
・第１アノードコンタクトは周辺のコンタクトであり、第２アノードコンタクトは能動ゾーンの（より）内側にあり（特に直線状で且つ平行であり、あるいは少なくとも上記の角度αに従って）、そしてこの場合第３のテーラードアノードコンタクト、例えば周辺のコンタクトが、第２アノードコンタクトに面して存在し、第２テーラードアノードコンタクトとともに第２アノード領域を画定している（第１領域に隣り合って）。
【００７０】
この場合、この第２アノード領域では、まさに第１カソードコンタクトに関して規定された第２カソードコンタクトが、所与のｒ（当然アノード領域の全体集合について選ばれる）についてＤ１／Ｌ１比と同一のＤ３／Ｌ３比で、用いられる。
【００７１】
同じようにして、能動ゾーンの内側の第１及び第２テーラードアノードコンタクトを持つアノード領域を作製することが可能である（周辺に他のコンタクトが存在するのが好ましい）。
【００７２】
より広く言えば、アノードは、複数のアノード領域を画定している相対するテーラードアノードコンタクトのいくつかの群と接触することができる。各アノード領域において、ＯＬＥＤデバイスは、前記アノード領域の上方に配置され（詳細は後述するように任意選択的な被覆要素又はブラッグミラーと隣接して）、アノード領域の表面積よりも小さな所与の面を有し、前記アノード領域の上方のカソードの領域を部分的に覆い、そしてコンタクト面の全ての箇所Ｃで２つのテーラードアノードコンタクトからオフセットしていて、且つＤ／Ｌ（Ｄ１／Ｌ１、Ｄ２／Ｌ２）について先に記載した基準をｒ（又は後に定義されるｒ’）の関数として満たす、カソードコンタクトを含むことができる。
【００７３】
従って、アノード領域は、好ましくは長方形、正方形、ハニカムなどのメッシュセルのアノードの（従って能動ゾーンの）、床張りのような層を形成することができる。
【００７４】
上記アノード領域は、同一又は異なる大きさを有するものであり、また同一又は異なる形状を有するものである。
【００７５】
典型的には、テーラードアノードコンタクト（延在する、あるいは点状の）の幅はｃｍのオーダーである。恐らくは、第１テーラードアノードコンタクトを有する能動ゾーンにおいて出て行く光はない。なぜなら、第１テーラードアノードコンタクトは非常に不透明であるからである。
【００７６】
更に、前述の従来技術と対照的に、許容可能な輝度レベルが、反射体によって守られる。一般に、反射体は少なくとも８０％の視感反射率ＲＬ（有機システムの方に向かって）を有することができる。
【００７７】
有機発光システムはアノードの上方にあり、すなわち、
・特に、アノード機能に電気伝導性の任意選択的な平坦化も組み入れることによって、アノードの直上にあり、
・さもなければ、能動ゾーンの内側のテーラードアノードコンタクトのパッシベーションの直上にあり（後述のとおり）、
・特に、アノード機能に電気伝導性の任意選択的な平坦化も組み入れることによって、アノードの直上にあり、
・さもなければ、能動ゾーンの内側の抵抗性アノードコンタクトのパッシベーションの直上にある（後述のとおり）。
【００７８】
典型的には、アノード（基材の直上の、又は例えば光抽出のための層によって切り離されたアノード）で覆われた基材は、少なくとも７０％の視感透過率を有することができる。
【００７９】
本発明によると、「薄層」とは、厚さが１ミクロン未満、あるいは実際において５００ｎｍ未満、又は実際において１００ｎｍ未満の層（正確に明記されていなければ単層又は多層）を意味するものである。
【００８０】
本発明によると、「層」とは、はっきりと明記されていなければ、単層又は多層を意味するものである。
【００８１】
ＯＬＥＤデバイスは、第１アノード領域に配置され、第１テーラードアノードコンタクト又は実際において第２テーラードアノードコンタクト４１’に連結された１以上のいわゆる抵抗性アノード電気コンタクト、場合により相互接続された抵抗性コンタクトを、特に電気伝導性層として含んでもよい。
【００８２】
そして０．１〜５の範囲のｒ比＝Ｒ２／Ｒ１は、この場合０．１〜５の範囲のｒ’ 比＝Ｒ２／Ｒ’１と取り替えられ、ここでのＲ’１は第１アノード領域におけるアノード／抵抗性コンタクト集合体の等価シート抵抗であり、Ｄ１／Ｌ１及びＤ２／Ｌ２の基準は保持される。
【００８３】
当然ながら、以下のこと、すなわち、
・０．１≦ｒ’＜１．７５である場合、２０％≦Ｄ１／Ｌ１＜５０％且つ２０％≦Ｄ２／Ｌ２＜５０％、
・１．７５≦ｒ’＜２．５である場合、２０％≦Ｄ１／Ｌ１≦４０％且つ２０％≦Ｄ２／Ｌ２≦４０％、
・２．５≦ｒ’＜３である場合、２０％≦Ｄ１／Ｌ１≦３５％且つ２０％≦Ｄ２／Ｌ２≦３５％、
・３≦ｒ’≦５である場合、１５％≦Ｄ１／Ｌ１≦２５％且つ１５％≦Ｄ２／Ｌ２≦２５％、
であることが好ましい。
【００８４】
抵抗性コンタクトは、作動中に抵抗性コンタクトの特定の箇所がテーラードアノードコンタクトの電位とは絶対的な関係として５％超、又は実際において少なくとも１０％もしくは更には２０％異なる電位Ｖｒであるような抵抗を有するものである。
【００８５】
従って、アノードの全体的抵抗を、抵抗性コンタクトの抵抗を透明アノード層の抵抗と並列に配置したものとして定義することができる。
【００８６】
抵抗性コンタクトは、テーラードコンタクトと同一の材料のものでよいが、但しそれよれよりもはるかに微細で、例えば１ｍｍ未満でよい。
【００８７】
美的目的のためには、能動ゾーンに１以上のテーラードアノードコンタクトのないＯＬＥＤデバイス、又は実際において能動ゾーン中に１以上の抵抗性アノードコンタクト（概してかなり微細であったとしても）のないＯＬＥＤデバイスが好ましいかもしれない。
【００８８】
アノードコンタクト（テーラード又は抵抗性）は、０．２μｍと１０μｍの間の厚さの層の形態であることができ、好ましくは次の金属、すなわちＭｏ、Ａｌ、Ｃｒ、Ｎｂのうちの１つ、又はＭｏＣｒ、ＡｌＮｂなどの合金の単層の形態、あるいはＭｏ／Ａｌ／ＭｏもしくはＣｒ／Ａｌ／Ｃｒなどの多層の形態であることができる。
【００８９】
それは、シルクスクリーン印刷された銀を基礎材料とするバスバー（銀エナメル）又はインクジェットによって被着させたものであってもよい。
【００９０】
アノード上のかなり微細なメッシュの抵抗性電気コンタクト、典型的には正方形の金属ネットワーク又はハニカムによって、アノードのＲ１を減少させることは既に知られている。
【００９１】
ストランドは、幅がほぼ５０〜１００μｍ程度のものであり、ネットワークのピッチは一般に１／５ｍｍであり、従って１％と５％の間の閉塞をもたらす。
【００９２】
Ｒ１’は例えば０．５Ωから５Ωまで変わり得る。実際には、Ｍｏ又はＣｒ（１００ｎｍ）／Ａｌ（５００ｎｍ〜１０００ｎｍ）／Ｍｏ又はＣｒ（１００ｎｍ）の多層を、例えば１４０ｎｍのＩＴＯ上に被着させる。この多層をその後、一般にはフォトリソグラフィー法で化学的にエッチングして、抵抗性コンタクトと、所望に応じて同じ物質であるがもっと幅の広いテーラードアノードコンタクトを形成する。
【００９３】
こうしてアノード領域では、あらゆることが、あたかもアノードと抵抗性アノードコンタクトとを並列に配置しているのと同等の抵抗のアノードが存在しているかのように起こる。
【００９４】
この場合、抵抗性アノードコンタクトでは、ＯＬＥＤの端部から離れるにつれ電圧が次第に減少する。
【００９５】
場合によっては、アノードの接続部を能動ゾーンの外側に配置するのが好ましく、これが、接続部（周辺テーラードアノードコンタクトと連結されている）が能動ゾーンから突き出たアノードコンタクトゾーンに配置される理由である。
【００９６】
場合によっては、カソードの接続部を能動ゾーンの外側に配置することが好ましく、これが、カソードコンタクトに連結した接続部が能動ゾーンから突き出た「カソードコンタクト」ゾーンに配置される理由である。
【００９７】
同様に、第１カソードコンタクトと連結された１以上のカソード抵抗性コンタクトが、例えば電気伝導性層として、存在してもよく、抵抗性コンタクトは所望に応じて相互接続され、特に第１カソードコンタクトとＯＬＥＤの端部との間のゾーン全体にわたって分布している。
【００９８】
この場合、Ｒ２はカソードと抵抗性コンタクトとの集合体の等価シート抵抗に相当する。
【００９９】
抵抗性コンタクトは、例えば、作動中に抵抗性コンタクトの特定の箇所が第１カソードコンタクトの電位Ｖと絶対的な関係として２％超、又は実際において少なくとも４％もしくは更には８％異なる電位Ｖｒであるような抵抗を有するものである。
【０１００】
アノードコンタクトのない端部においては、
・その末端のうちの１つを経て、能動ゾーンから外側へ張り出したカソードコンタクトを作ることにより（このゾーンはもはやカソードコンタクトゾーンとしてではなくカソード接続ゾーンとして定義される）、
・又は一方の側で能動ゾーンから張り出した反射体を作ることにより、
カソードに給電することが可能である。
【０１０１】
更に、Ｒ２を調整することから、カソードは透明又は半反射性であることができ、特に８０％未満、又は実際において６０％以下、又は実際において５０％以下の反射率ＲＬを有するものであることができる。
【０１０２】
カソードは、放射光が、好ましくは過度に吸収されずに、通過するのを可能にする。
【０１０３】
第１の構成（透明又は半透明のカソードを有する）において、反射体は金属の反射被覆要素、特に（薄い）層を、第１主面から離れたカソードの上に含むことができ、この被覆要素は、電気絶縁要素、特に層、いわゆるインサートによってカソードから切り離される。
【０１０４】
インサートに隣接し（そして少なくとも部分的にインサートによって取り囲まれた）第１カソードコンタクトは、反射体の一部を形成することもでき、好ましくは反射被覆要素と接触するか、又は実際においてそれと電気的に結合される。
【０１０５】
反射被覆要素は、次のもの、すなわち、
・インサート上に、又はインサートに対して重ねられた（好ましくは光学的に接触した）カウンター要素（ガラス、プラスチックフィルムなど）の内面上に、物理的気相成長によって被着された層、
・Ｃｕ、ステンレス鋼、Ａｌ、Ａｇなどの金属シート、
であることができる。
【０１０６】
好ましくは層状である反射被覆要素は、例えば、Ａｌ、Ａｇ、Ｃｕ、Ｍｏ、Ｃｒから選択される少なくとも１種の金属を基礎材料とする。
【０１０７】
インサートは、放射光が、好ましくは過度に吸収されずに、通過するのを可能にするように選択することができる。例えば、インサートは透明であり、好ましくはＴＬ＞９０％のものであって、非常に非吸収性であり、特にＡ＜３％である。
【０１０８】
インサートは、次のもの、すなわち、
・薄層カソード上に物理的気相成長によって被着された、又は実際において反射体がプレート（ステンレス鋼など）などである場合には接着剤によって被着された、層、
・空気、この場合反射体は能動ゾーンの周辺のスペーサーによって切り離される、
・オーバーレイフィルム、例えばラミネーションインサート（ＰＶＢタイプ）、
であることができ、そして反射体は例えば反射層を有するガラス基材である。
【０１０９】
インサートは、
・無機物であり、好ましくは窒化物、酸化物、酸窒化物から選択される無機物、例えば窒化ケイ素であり、
・又は樹脂であり、例えばＯＬＥＤの端部をパッシベーションするための樹脂と同一の樹脂、特にポリイミドであり、
・及び／又は任意選択的に、例えば、バインダー中に、特に無機物中に、拡散用粒子、特に無機物を添加することによって、拡散する、
（単）層（特に１００ｎｍ未満の厚さのものであり、厚さはその吸収率に応じて調節される）を含んでなるか、又は実際においてそのような（単）層からなるのが好ましい。
【０１１０】
好ましくは、この第１の構成においては、第１カソードコンタクトは金属被覆要素と同じ材料に基づく層を含み、それはアルミニウムに基づく層であるのが好ましい。
【０１１１】
カソードコンタクトは、次のもの、すなわち、
・カソード上に被着した層：導電性接着剤、所望の形状に従いインクジェット又はシルクスクリーン印刷によって被着した層、ＰＶＤにより被着し必要に応じパターン化した薄層、はんだ接合又は溶接などにより被着した薄層、
・及び／又は所定の形状を有するオーバーレイフィルム：ホイルリーフなど、
であることができる。
【０１１２】
好ましくは層状のカソードコンタクトは、好ましくはＡｌ、Ａｇ、Ｃｕ、Ｍｏ、Ｃｒから選択される少なくとも１種の金属を基礎材料とする。
【０１１３】
特に、カソードコンタクト及び反射用被覆要素は、インサート（層状の）及びカソード上の連続層によって形成することができ、そして好ましくは、カソードコンタクト、あるいは実際において当該連続層は、カソードと同じ材料、特にアルミニウムを基礎材料とする。
【０１１４】
このようにして、オフ状態で、連続層はミラーを形成することができ、そしてカソードコンタクトは被覆要素と識別されない。
【０１１５】
被覆要素及びカソードコンタクト（そして更にはカソードあるいはインサート）のためには単一の被着技術（例えば、物理的気相成長ＰＶＤ、特に陰極スパッタリング又は蒸着）を、あるいは実際において更に被覆要素及びカソードコンタクトのために層を被着する単一の工程を、使用することが望ましいであろう。
【０１１６】
もっと広く言うと、カソードのために考えられる材料としては、
・金属：アルミニウム、ベリリウム、マグネシウム、カルシウム、ストロンチウム、バリウム、ランタン、ハフニウム、インジウム、ビスマス、
・及びランタニド：セリウム、プラセオジム、ネオジム、サマリウム、ユウロピウム、ガドリニウム、テルビウム、ジスプロシウム、ホルミウム、エルビウム、ツリウム、イッテルビウム、及びルテチウム、
を挙げることができる。
【０１１７】
特に好ましいのは、アルミニウム、銀、バリウム、カルシウム、サマリウムであり、これらは多くの場合、それらの仕事関数が小さいために用いられる。
【０１１８】
下記の表１は、次のものを提示している。
アルミニウム（選択された厚さに応じて透明又は半透明であり得る）のＲ２。
選択された厚さに応じて透明又は半透明であり得る、９００ｎΩ・ｍの抵抗率（単位質量当たり）のサマリウムのＲ２。
選択された厚さに応じて透明又は半透明である、３３２ｎΩ・ｍの抵抗率（単位質量当たり）のバリウムのＲ２。
【０１１９】
【表１】
2015503822.tif 000003
【０１２０】
Ｒ２は、１Ω／□以上、又は実際において３Ω／□より大きく、２０Ω／□未満であるのが好ましい。
【０１２１】
好ましい様式においては、カソードは少なくとも１種の金属、好ましくはＡｌ及びＡｇから選択される金属、を基礎材料とし、任意選択的に当該金属層の下にある、例えば厚さ＜３ｎｍの、ＬｉＦの層を有する。
【０１２２】
特に、カソードは、アルミニウムに基づく層を含むことができ、あるいは実際においてアルミニウムに基づく層から構成され、そしてカソードコンタクトはアルミニウムに基づく層であって、例えばアルミニウムのカソード層上の厚くなった部分を形成する。
【０１２３】
第２の構成（透明又は半透明のカソードを有する）においては、反射体はブラッグミラーであり、ブラッグミラーはカソード上にカソードコンタクトに隣接して配置され、そしてカソードコンタクトが反射体の一部を形成する。
【０１２４】
ブラッグミラーは、ＴｉＯ２、ＺｒＯ２、Ａ１２Ｏ３、Ｓｉ３Ｎ４などの大きい屈折率ｎ１の薄層と、ＳｉＯ２、ＣａＦ２などのそれより小さい屈折率ｎ２の薄層とが交互になって形成される積重体として知られる。
【０１２５】
例えば、屈折率ｎ２−ｎ１の差分は少なくとも０．３、好ましくは少なくとも０．６であり、そして積重体は、少なくとも２つの高屈折率層と２つの低屈折率層とを含んでなる。
【０１２６】
こうして、５７０ｎｍ付近を中心とする波長のＯＬＥＤについて、多層積重体ＴｉＯ２  ６０ｎｍ／ＳｉＯ２  ９５ｎｍ、又は実際において任意選択的にこの多層積重体の重ね合わせを想定することが可能である。
【０１２７】
ＯＬＥＤのためにブラッグミラーを使用することは当業者に周知であり、当業者は場合により以下の刊行物を参照することができる。
・Appl. Phys. Lett. 69, 1997 (1996); Efficiency enhancement of microcavity organic light emitting diodes; R. H. Jordan, A. Dodabalapur, and R. E. Slusher。
・JOSA B, Vol. 17, Issue 1, pp. 114-119 (2000), Semitransparent metal or distributed Bragg reflector for wide-viewing-angle organic light-emitting-diode microcavities; Kristiaan Neyts, Patrick De Visschere, David K. Fork, and Greg B. Anderson。
【０１２８】
カソードコンタクトはブラッグミラーに接してもよい。
【０１２９】
カソードコンタクトは、例えば能動ゾーンから突き出してカソード接続部のゾーンを形成しているその端部の１つによって接続される。
【０１３０】
次に、本発明を、非限定的な例及び図面を活用して更に詳細に説明する。
【図面の簡単な説明】
【０１３１】
【図１】図１は本発明によるＯＬＥＤの模式断面図である。
【図１ａ】図１ａはアノードコンタクト及びカソードコンタクトを示す、図１のＯＬＥＤデバイスの上方からの模式図である。
【図１ｂ】図１ｂは変形実施形態における図１のＯＬＥＤデバイスの上方からの模式図である。
【図１ｃ】図１ｃはカソード接続部を示す、図１のＯＬＥＤデバイスの別の模式断面図である。
【図１ｄ】図１’は本発明によるＯＬＥＤデバイスの模式断面図である。
【図１ｅ】図１’ａはアノードコンタクト及びカソードコンタクトを示す、図１’のＯＬＥＤデバイスの上方からの模式図である。
【図２】図２は本発明によるＯＬＥＤデバイスの模式断面図である。
【図２ａ】図２ａはアノードコンタクト及びカソードコンタクトを示す、図２のＯＬＥＤデバイスの上方からの模式図である。
【図３】図３はＤ1／Ｌ１の関数としての輝度の均一性のグラフである。
【図４】図４は特定の形状の能動ゾーンを有するアノードコンタクト及びカソードコンタクトを示す、ＯＬＥＤデバイスの上方からの模式図である。
【図５】図５は特定の形状の能動ゾーンを有するアノードコンタクト及びカソードコンタクトを示す、ＯＬＥＤデバイスの上方からの模式図である。
【図６ａ−６ｂ】図６ａ〜図６ｂは特定の形状の能動ゾーンを有するアノードコンタクト及びカソードコンタクトを示す、ＯＬＥＤデバイスの上方からの模式図である。
【０１３２】
明確にするために、図示した物品の様々な構成要素（角度を含む）は原寸に比例して模写されていないことを述べておく。
【発明を実施するための形態】
【０１３３】
図１は、意図して非常に模式的であるが、基材を通して発光する又は「底面発光型」の有機発光デバイスを断面で表している。
【０１３４】
このＯＬＥＤデバイス１００（直列に容易に接続可能）は、第１主面を有する透明基材であって、当該第１面から始まって、
・透明で、好ましくは少なくとも１つの電気伝導性層を含む、所与のシート抵抗Ｒ１のアノード１を形成している下部電極、例えばＴＣＯ、又は銀を基礎材料とする積重体、
・アノードの上方の有機発光システム２（ＨＴＬ及びＥＴＬ層を含む）、
・有機発光システムの上方にあって、電気伝導性層を含み、一定の所与の厚さの所与のシート抵抗Ｒ２の透明又は半反射性のカソード３を形成している上部電極、
をこの順序で含んでなる積重体を含む透明基材を含み、ｒ比＝Ｒ２／Ｒ１は０．１〜５であって、当該積重体が共通のいわゆる能動ゾーン２０を画定している。
【０１３５】
電位Ｖ、例えば４Ｖ又は１０Ｖが、第１及び第２周辺アノード電気コンタクト４１、４１’、例えば金属の（多）層を介して、アノード１の境界で印加される。それらはテーラードと称され、すなわち、作動中にあらゆる箇所が当該電位Ｖであるように調整された電気抵抗を有するものである。
【０１３６】
第１テーラードコンタクト４１は、ここでは能動ゾーン２０の第１の長手方向の端部２１の能動ゾーンの外側にある。
【０１３７】
第２テーラードコンタクト４１は、ここでは第１端部２２の反対側の、能動ゾーン２０の第２の長手方向の端部２１の能動ゾーンの外側にある（図１ａ参照）。
【０１３８】
このように、本発明は、２つの電極間で可能な最も均一な電圧差を維持するように２つの電極で起こる電圧降下が互いに補償し合うようなやり方で、ｒ（又はｒ’）比と２つの電極上への電気的接続部の幾何学的形状の両方が調節されるＯＬＥＤモジュールからなる。
【０１３９】
第１テーラードアノードコンタクト４１の任意の箇所Ｂ１について言うと、前記箇所Ｂ１と前記箇所Ｂに最も近いコンタクト面の箇所Ｃ１との間の距離Ｄ１を規定するとともに、前記箇所Ｂ１と、Ｃ１を通過して第２テーラードコンタクト４１’の箇所Ｘ１との間の距離Ｌ１を規定していて、以下の基準、すなわち、
・０．１≦ｒ＜１．７５である場合、１０％＜Ｄ１／Ｌ１＜５０％、
・１．７５≦ｒ＜２．５である場合、１０％＜Ｄ１／Ｌ１＜４５％、
・２．５≦ｒ＜３である場合、１０％＜Ｄ１／Ｌ１＜４０％、
・３≦ｒ≦５である場合、１０％＜Ｄ１／Ｌ１＜３５％、
が規定され、第２テーラードコンタクト４１のそれぞれの箇所Ｂ２について言うと、前記箇所Ｂ２と前記箇所Ｂ２に最も近いコンタクト面の箇所Ｃ２との間の距離Ｄ２を規定するとともに、前記箇所Ｂ２と、Ｃ２を通過して第１テーラードコンタクト４１の箇所Ｘ２との間の距離Ｌ２を規定していて、以下の基準、すなわち、
・０．１≦ｒ＜１．７５である場合、１０％＜Ｄ２／Ｌ２＜５０％、
・１．７５≦ｒ＜２．５である場合、１０％＜Ｄ２／Ｌ２＜４５％、
・２．５≦ｒ＜３である場合、１０％＜Ｄ２／Ｌ２＜４０％、
・３≦ｒ≦５である場合、１０％＜Ｄ２／Ｌ２＜３５％、
が規定される。
【０１４０】
そして更により良好には、
・０．１≦ｒ＜１．７５である場合、２０％≦Ｄ１／Ｌ１＜５０％且つ２０％≦Ｄ２／Ｌ２＜５０％、
・１．７５≦ｒ＜２．５である場合、２０％≦Ｄ１／Ｌ１≦４０％且つ２０％≦Ｄ２／Ｌ２≦４０％、
・２．５≦ｒ＜３である場合、２０％≦Ｄ１／Ｌ１≦３５％且つ２０％≦Ｄ２／Ｌ２≦３５％、
・３≦ｒ≦５である場合、１５％≦Ｄ１／Ｌ１≦２５％且つ１５％≦Ｄ２／Ｌ２≦２５％、
である。
【０１４１】
より厳密に言えば、Ｄ１（及びＤ２のそれぞれ）は、Ｂ１（及びＢ２のそれぞれ）とアノードに対して平行なＢ１（及びＢ２のそれぞれ）を通過する平面におけるＣ１（及びＣ２のそれぞれ）の垂直投影点との間の距離である。そしてより厳密に言えば、Ｌ１（及びＬ２のそれぞれ）は、Ｂ１（及びＢ２のそれぞれ）と、アノードに対して平行なＢ１（及びＢ２のそれぞれ）を通過する平面におけるＣ１（及びＣ２のそれぞれ）の垂直投影点を通過するＸ１（及びＸ２のそれぞれ）との間の距離である。従って、Ｄ１とＬ１はアノードに対して平行なＢ１を通過する平面で規定することが好ましく、Ｄ２とＬ２はアノードに対して平行なＢ２を通過する平面で規定することが好ましいであろう。
【０１４２】
コンタクト面は、ここではベタの面であり、変形実施形態としては格子状である。
【０１４３】
ＯＬＥＤデバイス１００は、第１面１０から離れて有機発光システム２の上方に能動ゾーン２０を覆う反射体６を含む。
【０１４４】
より正確には、反射体６は第１主面から離れてカソード３の上方に金属の反射被覆要素６１を含んでなり、この被覆要素６１は、電気絶縁電気要素７、いわゆるインサートと呼ばれる透明で完全に非吸収性の、ここでは好ましくは無機物で薄い層、例えば５０ｎｍの窒化ケイ素、によってカソード３から隔てられている。
【０１４５】
インサート７に隣接する第１カソードコンタクト５は反射性であり、従って反射体６の一部を形成し、好ましくは反射被覆要素６１と接触しているか、又は実際において電気的に結合されている。
【０１４６】
カソードコンタクト５は、好ましくは金属の被覆要素６１と同じ材料を基礎材料としている。この場合、カソードコンタクト５及び被覆反射体６は、例えば物理的気相成長によるインサート７及びカソード３上の連続層によって形成される。好ましくは、この連続層は、例えば１００ｎｍ、又は実際において５００ｎｍの厚さのアルミニウムを基礎材料とする。当然ながら、インサート７は、カソードコンタクトのゾーンとなることが意図されるゾーンに相当するフリーゾーンを残すように被着前に構造化されている。
【０１４７】
能動ゾーン２０の端部は、例えばポリイミド樹脂７１によってパッシベーションされる。
【０１４８】
アノードコンタクト４１、４１’は、ここではアノード１上にあり、従って基材上（又は下層上）に予め被着されている。しかしながら、アノード２はアノードコンタクト４１、４１’の後に同様に良好に被着させてもよく、電気的結合のためにそれらと部分的に重なり合うことができる。
【０１４９】
変形実施形態として、図示してはいないが、反射体は前記第１カソードコンタクトに隣接するブラッグミラーを含んでなる。その結果、この反射性のカソードコンタクトは更に反射体の一部を形成する。ブラッグミラー（誘電材料の）はカソードの直上にあってもよい。
【０１５０】
カソード３は、例えば、特にＲ２が１Ω／□以上、又は実際において３Ω／□以上２０Ω／□未満、あるいは実際において１０Ω／□未満のアルミニウム層であり、この場合カソードコンタクトは好ましくは先に述べたようにアルミニウムを基礎材料とする層である。
【０１５１】
能動ゾーン２０は、例えば少なくとも５ｃｍ×５ｃｍである。
【０１５２】
図１ａは、デバイス１００の上方からの模式図であり、更に明確にするためにデバイスの構成要素、すなわち電気的機能を有する構成要素の一部を示している。
【０１５３】
長方形のカソードコンタクト５は、能動ゾーン２０の第１及び第２のフリー端部２３、２４を覆って延在し、フリー端部２２を越えて能動ゾーンの外側に接触しており、例えばコンタクトパッド５２の上又は下に被着されている（図１ｃ参照）。
【０１５４】
第１及び第２テーラードアノードコンタクト４１は、平行な直線状のバンドである。能動ゾーン２０（ここでは簡単にその輪郭の破線で示される）は正方形である。
【０１５５】
従って、第１及び第２端部に隣接している能動ゾーンの端部２３、２４には、アノードコンタクトは設けられていない。
【０１５６】
例として、第１アノードコンタクトの箇所Ｂ１、箇所Ｂ１に一番近いカソードコンタクト５の箇所Ｃ１、及び第２端部２２の箇所Ｘ１をプロットしてある。Ｂ１を通過し、アノードに平行なＢ１の平面におけるＣ１の垂直投影点を通過し、そしてＸ１を通過する直線が、Ｌ１とＤ１を最もうまく定義するのを可能にする。
【０１５７】
例として、第２アノードコンタクト４１’の箇所Ｂ２、箇所Ｂ２に一番近いカソードコンタクト５の箇所Ｃ２、及び第１端部２１の箇所Ｘ２をプロットしてある。Ｂ２を通過し、アノードに平行なＢ２の平面におけるＣ２の垂直投影点を通過し、そしてＸ２を通過する直線が、Ｌ２とＤ２を最もうまく定義するのを可能にする。
【０１５８】
実際には、第１テーラードコンタクト４１と第１端部２１との間隔は制限される。第１外部周辺テーラードコンタクトは、好ましくは、第１端部からＬ／１０未満、あるいは実際においてＬ／２０未満の距離Ｗにあり、ここでのＬは第１及び第２端部２１と２２の間の一定の距離（Ｌ１に等しい）である。
【０１５９】
実際には、第２テーラードコンタクト４１と第２端部２２との間隔は制限される。第２外部周辺テーラードコンタクトは、好ましくは、第２端部からＬ／１０未満、あるいは実際においてＬ／２０未満の距離Ｗにある。
【０１６０】
Ｌ＝１５ｃｍ、Ｒｏｒｇ＝３００Ω・ｃｍ2とし、３Ω／□のアノードを選択して、輝度の均一性Ｈは、ＯＬＥＤの電源投入電圧より高い所与の電圧で給電されるＯＬＥＤの最大輝度に対する最小輝度の比として定義される。
【０１６１】
図３は、様々なｒ比（０．１と４の間）について、均一性Ｈのグラフを図１に示したデバイス１００のカソードコンタクト５のＤ１／Ｌ１の関数として示している。
【０１６２】
この図には、ｒ＝０．１、ｒ＝０．５、ｒ＝１、ｒ＝２、ｒ＝３、ｒ＝４についてそれぞれ、均一性Ｈ（％）の６つの曲線Ｆ１〜Ｆ６が示されている。
【０１６３】
これらのグラフから、特にｒの小さい値に向かうと、最適範囲が狭くなるけれどもＨは良好になる、好適なパラメータ範囲が想起される。
【０１６４】
Ｈについての結果は、典型的に５０Ω・ｃｍ2と３００Ω・ｃｍ2の間の異なるＲｏｒｇ、典型的に１Ω／□と１０Ω／□の間の異なるＲ１のアノード、及び他の大きさの能動ゾーンについて同様である（同じ傾向をたどる）。
【０１６５】
例えば、Ｒ１＝８Ω／□のＩＴＯアノード及びＲ２＝２４Ω／□のカソードで、あるいはＲ１＝３Ω／□の銀を基礎材料とするアノード及びＲ２＝９Ω／□のカソードで、
ｒ＝３及びＤ１／Ｌ１＝２５％を選択する。
【０１６６】
製作の容易さのために、もっと小さいｒを選択すること、例えばＲ１＝８Ω／□のＩＴＯアノード及びＲ２＝８Ω／□のカソードで、あるいはＲ１＝３オーム／□の銀を基礎材料とするアノード及びＲ２＝３Ω／□のカソードで、ｒ＝１及びＤ／Ｌ＝３５％を選択することも可能である。
【０１６７】
３Ω／□に等しいＲ１のアノードを製造するためには、例えばＩＴＯなどの透明導電性酸化物「ＴＣＯ」よりも銀を基礎材料とする積重体の方が好ましい。例えば、国際公開第２００８／０２９０６０号パンフレット及び国際公開第２００９／０８３６９３号パンフレットに記載されている銀に基づく単層又は銀に基づく二層積重体を挙げることができる。
【０１６８】
カソードを製造するためには、厚さを調節しながらアルミニウムを被着させる。
【０１６９】
図１ｂは、変形実施形態における、図１のＯＬＥＤデバイスの上方からの模式図である。
【０１７０】
電気伝導層に、テーラードアノードコンタクト４１、４１’に連結した抵抗性アノード電気コンタクト４３が加えられている。ここでは、これらの抵抗性コンタクト４３は相互に接続し、格子を形成している。
【０１７１】
従って、照明の良好な均一性を得るためには、ｒ比をｒ’ 比＝Ｒ２／Ｒ’１と取り替え、ここでのＲ’１はアノード／抵抗性アノードコンタクト集合体の等価シート抵抗であり、すなわちアノードと抵抗性アノードコンタクトとを並列に配置する。
【０１７２】
抵抗性アノードコンタクトは、テーラードコンタクトと同一であるがはるかに微細な、例えば１ｍｍを下回る、材料で作製することができる。例えば、高さ５００ｎｍ及び幅１００μｍのアルミニウムワイヤを用いて製造される５ｍｍ周期の金属ストランドの正方形メッシュで、２．７Ω／□の等価シート抵抗を有するシステムを形成する。その結果、そのようなメッシュをシート抵抗２０Ω／□のＩＴＯアノード上に配置する場合、アノードの等価抵抗（アノードと抵抗性コンタクトとを並列に配置することによって得られる抵抗として定義される）は２．４Ω／□となる。このアノード上に、１００Ω・ｃｍ2の有機材料の垂直抵抗を有する８×８ｃｍ2の正方形能動ゾーンのＯＬＥＤを製造することによって、ＯＬＥＤの端部から４ｃｍに位置する抵抗性コンタクトに近接したところでの照度は２０％低くなる。５％を上回るこの照度の減少は、ＯＬＥＤの中央でアノードの電圧低下をもたらして照度の低下をもたらす抵抗性コンタクトの抵抗特性に起因する。
【０１７３】
図１’は、本発明によるＯＬＥＤデバイス２００の模式断面図である。
【０１７４】
それは、アノードコンタクト４１、４１’が端部のへりの内側に沿って位置する点で、第１のデバイス１００と異なる。従って、能動ゾーン２０は第１アノード領域４０よりも大きい。
【０１７５】
図１’ａは、図１’のＯＬＥＤデバイスの上方からの模式図であり、図１ａに示したのと同様のアノードコンタクトとカソードコンタクトを示している。
【０１７６】
図２は、本発明によるＯＬＥＤデバイス３００の模式断面図である。
【０１７７】
それは、中央の内側アノードコンタクトが、第１及び第２アノードコンタクト４１、４１'から、例えば等距離のところにある点で、第１のデバイス１００と異なる。
【０１７８】
従って、第１アノード領域４０が、第１周辺コンタクト４１と中央コンタクト４１”とにより画定され、第２アノード領域４０’が、中央コンタクトと第２周辺テーラードコンタクトとにより画定される。
【０１７９】
従って、能動ゾーン２０は第１アノード領域４０よりも大きい。
【０１８０】
各アノード領域４０、４０’に第１カソードコンタクト５が配置され、ここではそれは、選択されたｒ（好ましくは全てのアノード領域について同じｒ）の関数としてのＤ１／Ｌ１及びＤ２／Ｌ２比を満たすようにアノードコンタクトとの間隔をあけた長方形である。
【０１８１】
図４は、本発明によるＯＬＥＤデバイス４００の上方からの模式図であり、アノードコンタクトとカソードコンタクトを示している。
【０１８２】
それは、第１及び第２テーラードアノードコンタクト４１、４１’がもはやバンドでなく、それぞれやはり能動ゾーンの長手方向の端部に沿って互いに十分接近した一組の点状コンタクトである点において、第１のデバイス１００と異なる。
【０１８３】
図５は、本発明によるＯＬＥＤデバイス５００の上方からの模式図であり、アノードコンタクトとカソードコンタクトを示している。
【０１８４】
それは、能動領域２０が丸味を帯びており（例えば卵形）、そして第１及び第２テーラードアノードコンタクト４１、４１’がもはや長方形のバンドでなくＣ字形であって、同じように丸味を帯びた第１アノード領域４０を与えている点で、第１のデバイス１００と異なる。
【０１８５】
第１カソードコンタクトも丸味を帯びた形状であり、例えばテーラードコンタクト４１、４１’から一定の距離にある。
【０１８６】
図６ａは、本発明によるＯＬＥＤデバイス６００の上方からの模式図であり、アノードコンタクトとカソードコンタクトを示している。
【０１８７】
それは、能動領域２０（及び第１アノード領域４０）が四辺形であり、カソードコンタクト５もやはり四辺形である点で、第１のデバイス１００と異なる。第１及び第２コンタクトは依然として一番長い端部２１、２２にある。
【０１８８】
図６ｂは、本発明によるＯＬＥＤデバイス６００’の上方からの模式図であり、アノードコンタクトとカソードコンタクトを示している。
【０１８９】
それは、能動領域２０（及び第１アノード領域４０）が六角形であり、カソードコンタクト５もやはり六角形である点で、第１のデバイス１００と異なる。第１及び第２アノードコンタクト４１、４１’は、おのおの近くの２つの辺２１、２２にあって、言うなれば長手方向の端部を形成している。２つのフリーな辺又は端部２３、２４が残っている。
【図１】
2015503822.tif 000004
【図１ａ】
2015503822.tif 000005
【図１ｂ】
2015503822.tif 000006
【図１ｃ】
2015503822.tif 000007
【図１ｄ】
2015503822.tif 000008
【図１ｅ】
2015503822.tif 000009
【図２】
2015503822.tif 000010
【図２ａ】
2015503822.tif 000011
【図３】
2015503822.tif 000012
【図４】
2015503822.tif 000013
【図５】
2015503822.tif 000014
【図６ａ】
2015503822.tif 000015
【図６ｂ】
2015503822.tif 000016
【国際調査報告】
2015503822.tif 000017
2015503822.tif 000018
2015503822.tif 000019
2015503822.tif 000020